(57)【要約】【課題】簡単且つ安価な構造で、牛への装着作業を容易且つ迅速に行え、しかも装着後の使用状態における安全性及び信頼性の高い牛用鼻輪を提供する。【解決手段】可撓性材でなる略Ｕ字状の鼻串３と、棒状形態の両端部２ａ，２ｂに第１及び第２鼻串嵌挿孔２１，２２を設けた桁木２とを備え、鼻串３の第１端部３ａを尖頭状とするとともに第２端部３ｂ回りに回転可能に構成する。かかる構成とすることで、鼻串３の第１端部３ａで鼻腔壁５２に穿孔しこれを貫通させ且つ桁木２の第１鼻串嵌挿孔２１に嵌挿固定するという連続した一連の作業で鼻輪装着が完了するものであり鼻輪の装着作業の簡易且つ迅速化が図られる。また、装着作業に専用工具を必要とせず、鼻輪装着コストの低減と作業の迅速化が図れる。さらに、構造が極めて簡単でおの製作が容易であることから鼻輪をより安価に提供することができる。【選択図】        図２
2004248657.tif 000002
【特許請求の範囲】
【請求項１】
牛（５０）の鼻腔壁（５２）を貫通して左右の鼻腔（５１）、（５１）間に跨って取り付けられる牛用鼻輪であって、
可撓性材により略Ｕ字状の湾曲形状に形成され且つ上記鼻腔壁（５２）を貫通して取り付けられる鼻串（３）と、
棒状形態を有し且つその両端部（２ａ），（２ｂ）に上記鼻串（３）の第１及び第２端部（３ａ），（３ｂ）がそれぞれ嵌挿される第１及び第２鼻串嵌挿孔（２１），（２２）をそれぞれ設けた桁木（２）とを備えるとともに、
上記鼻串（３）は、上記第１端部（３ａ）を尖頭状とするとともに、該第１端部（３ａ）を上記第１鼻串嵌挿孔（２１）から離脱させた状態においては上記第２鼻串嵌挿孔（２２）に嵌挿された上記第２端部（３ｂ）回りに回転可能に構成されていることを特徴とする牛用鼻輪。
【発明の詳細な説明】
【０００１】
【発明の属する技術分野】
本願発明は、酪農業において飼育牛を拘束し且つ管理する目的で牛の鼻腔壁にこれを貫通して取り付けられる牛用鼻輪の構造に関するものである。
【０００２】
【従来の技術】
従来から、飼育牛を拘束してこれを管理するために、牛の鼻腔壁を貫通させて鼻輪を取り付けるとともに、この鼻輪に綱を結んで牛の行動を規制するようにしている。
【０００３】
この鼻輪としては、古来から用いられた伝統的な構造が今に引き継がれている。即ち、図１１に示すように、略Ｕ字状に形成された鼻串６３の両端部６３ａ，６３ａを、矩形断面の棒状体でなる桁木６２の両端部に設けた嵌挿孔６４，６５にそれぞれ挿通し、且つ木釘状の止材６６，６７を上記桁木６２の外側から上記鼻串６３の両端部６３ａ，６３ｂを貫通させて取り付けてこれら両者を固定するようにしたものである。
【０００４】
そして、この鼻輪６１の使用に際しては、上記鼻串６３と桁木６２とを分離させておき、先ず、牛５０の鼻腔壁５２に鼻腔５１から穿孔具を通して穿孔し、この穿孔に上記鼻串６３を通し、しかる後、該鼻串６３の両端部６３ａ，６３ｂを上記桁木６２の挿通孔６４，６５にそれぞれ挿通し且つ止材６６、６７を用いてこれら両者を固定するものである。
【０００５】
このような伝統的な鼻輪６１は、その構造上、棒状の桁木６２を備えているところから、該桁木６２が牛５０の鼻腔５１部分に当たることで鼻輪６１の回り止め作用をなし、従って、この桁木６２に綱６８を結んだとき、綱１０の結び目が鼻腔５１と干渉してこれを傷付けると言うことが可及的に防止され、牛５０を安全且つ確実に拘束できるという利点を有する反面、牛５０への装着時に、穿孔具を用いた穿孔作業と穿孔への鼻串６３の挿通作業及び鼻串６３と桁木６２の結合作業とを順次個別に行うことが必要であり、作業の迅速性、的確性という点において問題がある。
【０００６】
このような事情から、特許文献１及び特許文献２に示されるような鼻輪が提案されている。この鼻輪は、牛への鼻輪装着作業の簡易迅速性を図ったもので、可撓性をもつＣ形環状体の近接対向する両端のうち、一方の端部はこれを尖頭状とするとともに抜け方向において掛止する掛止部を設け、他方の端部はこれを筒状とするとともにその内周面に上記掛止部を受ける受け部を設け、これら両者を嵌合させることでその抜け止めがなされるようにしている。
【０００７】
そして、この鼻輪の装着に際しては、該鼻輪を拡開させて、その尖頭状端部を用いて牛の鼻腔壁を穿孔するとともに、これをそのまま押し込んで該穿孔に通す。しかる後、上記鼻輪を縮径させて尖頭状端部を受け部に嵌合させ、該鼻輪を完全環状体とするものである。即ち、この鼻輪は、これ自体で穿孔作業を行うことで、鼻輪装着作業の迅速化を図ったものである。
【０００８】
【特許文献１】
特開平１０−８４８０４号公報（段落「００１５」，段落「００１６」、段落「００１７」、図２および図３参照）
【特許文献２】
実開平６−７０５５２号公報（段落「０００８」，段落「０００９」，段落「００１４」，図１参照）。
【０００９】
【発明が解決しようとする課題】
ところが、この鼻輪によれば、
（イ）鼻輪自体で穿孔作業を行うことで鼻輪装着作業の迅速化が図れるものの、鼻輪の縮径作業に大型ペンチ様の専用工具を必要とする、
（ロ）尖頭状端部と受け部の双方における掛止構造が複雑でその加工コストが高くつく、
（ハ）鼻輪全体が環状形態であって、牛の鼻腔壁に通した状態においてはこれがその周方向に回転し易く、このため該鼻輪に綱を結んだとき、該鼻輪の回転によって該綱の結び目が牛の鼻腔近傍に移動して該鼻腔を傷つける恐れがある、
等の問題があった。
【００１０】
そこで本願発明は、簡単且つ安価な構造で、牛への装着作業を容易且つ迅速に行うとともに、装着後の使用状態における安全性及び信頼性の高い牛用鼻輪を提供することを目的としてなされたものである。
【００１１】
【課題を解決するための手段】
本願発明ではかかる課題を解決するための具体的手段として次のような構成を採用している。即ち、牛５０の鼻腔壁５２を貫通して左右の鼻腔５１、５１間に跨って取り付けられる牛用鼻輪において、可撓性材により略Ｕ字状の湾曲形状に形成され且つ上記鼻腔壁５２を貫通して取り付けられる鼻串３と、棒状形態を有し且つその両端部２ａ，２ｂに上記鼻串３の第１及び第２端部３ａ，３ｂがそれぞれ嵌挿される第１及び第２鼻串嵌挿孔２１，２２をそれぞれ設けた桁木２とを備えるとともに、上記鼻串３は、上記第１端部３ａを尖頭状とするとともに、該第１端部３ａを上記第１鼻串嵌挿孔２１から離脱させた状態においては上記第２鼻串嵌挿孔２２に嵌挿された上記第２端部３ｂ回りに回転可能なる如く構成したことを特徴としている。
【００１２】
【発明の効果】
本願発明に係る牛用鼻輪では、牛５０の鼻腔壁５２に鼻輪を取り付けるに際しては、上記鼻串３の第１端部３ａを上記桁木２の第１鼻串嵌挿孔２１から離脱させ、この状態で該鼻串３をその第２端部３ｂ回りに回転させて上記第１端部３ａを上記桁木２からその側方へ移動させる。そして、尖頭状の上記第１端部３ａを牛５０の鼻腔壁５２に突き当ててこれを貫き、そのまま鼻腔外へ突出させる。しかる後、上記桁木２を上記鼻串３の第２端部３ｂを中心に相対回動させてその第１鼻串嵌挿孔２１を上記第１端部３ａの近傍に位置させ、さらに上記鼻串３を展延させるように撓み変形させながら該第１端部３ａを上記第１鼻串嵌挿孔２１に嵌挿し且つこれを固定する。
【００１３】
以上のように、本願発明に係る牛用鼻輪によれば、上記鼻串３の第１端部３ａを尖頭状とし、これを用いて上記鼻腔壁５２に穿孔し且つこれを貫通させるとともに該第１端部３ａを上記桁木２の第１鼻串嵌挿孔２１に嵌挿固定するという連続した一連の作業で鼻輪の装着が完了するものであり、例えば、これら各作業をそれぞれ独立して個別に行う場合に比して、鼻輪の装着作業の簡易且つ迅速化が図られる。
【００１４】
また、牛５０に鼻輪を装着した状態においては、その鼻先に棒状形態をもつ桁木２が存在し、該桁木２によって鼻輪１が牛５０の鼻腔５１に対して過度に相対変化するのが阻止されることから、上記桁木２に結ばれた綱１０の結び目が牛５０の鼻腔５１部分に接触してこれを傷つけるのが確実に防止され、その結果、上記牛５０を安全に且つ高い信頼性をもって拘束でき、牛５０の管理上の信頼性が向上する。
【００１５】
さらに、鼻輪の装着作業に専用の工具を何ら必要としないことから、例えば従来のように専用工具を必要とする場合に比して、鼻輪装着コストの低減が促進されるとともに、作業の更なる迅速化が期待できるものである。
【００１６】
また、本願発明の牛用鼻輪によれば、上記鼻串３の第１端部３ａを尖頭状とするとともに、第２端部３ｂを上記桁木２に対して相対回転可能とすれば良く、例えば従来のようにＣ形環状に形成された鼻輪の一端部を尖頭状とし且つ抜止め機能を備えるとともに、他端部を筒状に形成し且つ抜止め機能を備えた構造とするものに比して、構造が極めて簡単でその製作が容易であり、この結果、鼻輪１をより安価に提供することができる。
【００１７】
【発明の実施の形態】
以下、本願発明を好適な実施形態に基づいて具体的に説明する。
【００１８】
Ａ：第１の実施形態
図１には、本願発明の第１の実施形態に係る牛用鼻輪１を牛５０の鼻腔壁５２に左右の鼻腔５１を通して装着した状態を示している。
【００１９】
上記鼻輪１は、古来から用いられている伝統的形態を基本とし、この伝統的形態に特有の利点を保有しつつ、これに装着作業性とか構造の簡略化・低価格性等の新たな利点を付加することで、その実用性を高めたものである。以下、これを詳述する。
【００２０】
上記鼻輪１は、伝統的形態を踏襲したもので、次述の桁木２と鼻串３とを備えて構成される。
【００２１】
Ａ−１：桁木２の構造
上記桁木２は、次述の鼻串３に対する固定機能と牛拘束用の綱１０の止着機能とをその本質的機能とするものであって、矩形の断面形状をもつ所定長さの木製棒状体で一体構成される。そして、この桁木２の軸方向の一端部２ａには第１鼻串嵌挿孔２１が、他端部２ｂには第２鼻串嵌挿孔２２が、該軸方向に略直交する方向に向けてそれぞれ貫通形成されるとともに、軸方向の中央部２ｃには上記綱１０を安定的に且つ安全に結び付けるための弧状の面取り部が形成されている。
【００２２】
さらに、上記桁木２の上記第１鼻串嵌挿孔２１に対応する位置には、該第１鼻串嵌挿孔２１の軸心部分をこれに直交する方向に貫通させて小径の通孔２３が形成されている。また、上記桁木２の上記第２鼻串嵌挿孔２２に対応する位置には、左右一対の小径の通孔２４、２４が、その軸心を該第２鼻串嵌挿孔２２の左右両側の周縁に接しせしめた状態でそれぞれ形成されている。
【００２３】
Ａ−２：鼻串３の構造
上記鼻串３は、上記桁木２の上記各鼻串嵌挿孔２１，２２に嵌挿可能な外径寸法をもつ例えば硬質樹脂製の管体あるいは棒体を略Ｕ字状に湾曲成形して構成されるものであって、略Ｕ字状部分を拡開収縮させる方向への撓曲変形に対して適度の弾性をもっている。尚、上記鼻串３の素材は、要するに、成形後の形状保持性と適度の可撓性を確保できる素材であれば良く、上記のような硬質樹脂に限られるものではない。
【００２４】
そして、この鼻串３の第１端部３ａは、上記桁木２の上記第１鼻串嵌挿孔２１に嵌挿され且つ着脱自在に固定される部位であって、その先端部分は尖頭５とされるとともに、該尖頭５の近傍には上記桁木２側の上記通孔２３と略同径の通孔６が、上記鼻串３の湾曲面に略直交する方向に向けて貫設されている。これに対して、上記鼻串３の第２端部３ｂには、上記桁木２側の上記通孔２４に略重合し得る半円状の断面形状をもつ周溝４が設けられている。
【００２５】
以上のように構成された上記桁木２と上記鼻串３とは、図３に実線図示するように、上記桁木２の上記第１鼻串嵌挿孔２１に上記鼻串３の第１端部３ａを嵌挿し且つ上記桁木２側の通孔２３と上記鼻串３側の上記通孔６とを重合させてここに木製釘状の止材２５を挿通してこれら両者を固定する一方、上記第２鼻串嵌挿孔２２に上記鼻串３の第２端部３ｂを嵌挿し且つ上記桁木２側の各通孔２４，２４と上記鼻串３側の上記周溝４とを重合させてここに木釘状の止材２６，２６をそれぞれ挿通することで、これら両者が一体化され上記鼻輪１を構成する（以下、この時の鼻輪１の形態を「固定形態」という）。
【００２６】
このように上記鼻輪１が「固定形態」に形態設定された状態では、上記鼻串３の第１端部３ａは上記止材２５により上記桁木２に対して抜け止め固定されている。これに対して、上記鼻串３の第２端部３ｂは、その外周部の二位置において上記各止材２６，２６が上記周溝４と上記桁木２側の上記各通孔２４，２４とに跨がって存在することで該桁木２に対して抜け止めされると同時に、上記周溝４に係入する上記各止材２６，２６が該周溝４に対して摺接可能であることから、上記第２鼻串嵌挿孔２２内において回転可能とされる。
【００２７】
従って、例えば図３に符号３′を付した鎖線図示状態のように、上記第１端部３ａを上記桁木２の上記第１鼻串嵌挿孔２１から引き抜いた状態（以下、この時の鼻輪１の形態を「離脱形態」という）においては、上記鼻串３をその第２端部３ｂ側を中心として回転させることで、図３に符号３″を付した鎖線図示状態のように、上記第１端部３ａを上記桁木２から遠くに離間させて該第１端部３ａと第２端部３ｂとの間に大きな空間を形成させることができる（以下、この時の鼻輪１の形態を「展開形態」という）。尚、上記鼻串３の「固定形態」と「離脱形態」との間での形態変更は、図３に符号３′を付した鎖線図示状態のように、該鼻串３を弾性的に撓曲変形させることで実現される。
【００２８】
続いて、図４を参照して、上記鼻輪１を牛５０に装着する場合の作業手順を説明する。
【００２９】
上記鼻輪１の装着に際しては、先ず、該鼻輪１を「展開形態」に設定するが、この「展開形態」においては、上記鼻串３の第１端部３ａがその第２端部３ｂから大きく離間し且つその先端には上記尖頭５が存在している。
【００３０】
この「展開形態」にある鼻輪１の上記鼻串３の尖頭５部分を牛５０の一方の鼻腔５１内に差し入れ、該尖頭５によって左右の鼻腔５１，５１間に在る鼻腔壁５２を一方側から他方側に刺し貫くとともに、該鼻串３をそのまま前方へ送り出し、図４に鎖線図示するように上記鼻串３の中央部３ｃを上記鼻腔壁５２部分に対応させる。
【００３１】
しかる後、上記桁木２を上記鼻串３の第２端部３ｂ回りに回転させてその第１鼻串嵌挿孔２１側を該鼻串３の第１端部３ａの近傍に位置させる（即ち、上記鼻輪１を再度、「離脱形態」に設定する。そして、この「離脱形態」において、上記鼻串３を拡開する方向に撓曲変形させて該第１端部３ａを上記桁木２の第１鼻串嵌挿孔２１に嵌挿せしめる。さらに、上記通孔２３に上記止材２５を嵌挿し且つこれを上記鼻串３側の上記通孔６に貫通させて、上記鼻串３の第１端部３ａを上記桁木２の一端部２ａ側に抜け止め固定する。
【００３２】
以上で、牛５０への上記鼻輪１の装着作業が完了する。後は、上記桁木２の中央部２ｃ部分に綱１０を結び付けることで、該鼻輪１を介して牛５０を拘束してその行動を規制することができる。
【００３３】
以上のように、この実施形態の鼻輪１によれば、上記鼻串３の第１端部３ａを尖頭状とし、これを用いて上記鼻腔壁５２に穿孔し且つこれを貫通させるとともに該第１端部３ａを上記桁木２の第１鼻串嵌挿孔２１に嵌挿固定するという連続した一連の作業で鼻輪の装着が完了するものであり、例えば、これら各作業をそれぞれ独立して個別に行う場合に比して、鼻輪の装着作業の簡易且つ迅速化が図られることになる。
【００３４】
また、牛５０に鼻輪を装着した状態においては、その鼻先に棒状形態をもつ桁木２が存在し、鼻輪１が牛５０の鼻腔５１に対して過度に相対変化するのが該桁木２によって阻止されることから、該桁木２に結ばれた綱１０の結び目が牛５０の鼻腔５１部分に接触してこれを傷つけることが確実に防止され、その結果、上記牛５０を安全に且つ高い信頼性をもって拘束でき、牛５０の管理上の信頼性が向上する。
【００３５】
さらに、鼻輪の装着作業に専用の工具を何ら必要としないことから、例えば従来のように鼻腔壁５２を穿孔する専用の工具を必要とする場合に比して、鼻輪装着コストの低減が図れるとともに、作業の更なる迅速化が期待できるものである。
【００３６】
また、本願発明の牛用鼻輪によれば、上記鼻串３の第１端部３ａを尖頭状とするとともに、第２端部３ｂを上記桁木２に対して相対回転可能とすれば良く、例えば従来のようにＣ形環状に形成された鼻輪の一端部を尖頭状とし且つ抜止め機能を備えるとともに、他端部を筒状に形成し且つ抜止め機能を備えた構造とするものに比して、構造が極めて簡単でその製作が容易であり、この結果、鼻輪１をより安価に提供することができる。
【００３７】
Ｂ：第２の実施形態
図５及び図６には、本願発明の第２の実施形態に係る鼻輪１を示している。この鼻輪１は、上記第１の実施形態に係る鼻輪１と基本構成を同じにするものであって、これと異なる点は、上記鼻串３の回転構造である。
【００３８】
即ち、この実施形態の鼻輪１においては、上記桁木２の第２鼻串嵌挿孔２２の裏面側に、該第２鼻串嵌挿孔２２より大径の座穴２７を設ける。一方、上記鼻串３の第２端部３ｂ側においては、これを上記桁木２の第２鼻串嵌挿孔２２に嵌挿した状態において上記座穴２７に対応する位置に通孔７を貫設している。
【００３９】
そして、上記鼻串３の第２端部３ｂを上記桁木２の第２鼻串嵌挿孔２２に挿通させ、且つこれを上記裏面側に突出させた状態（図６において符号３ｂを付した鎖線図示状態）で上記通孔７に上記止材２９を嵌挿固定する。この場合、上記止材２９の長さ寸法は、上記座穴２７の内径より僅かに小さな寸法に設定している。
【００４０】
従って、上記鼻串３の第２端部３ｂを引き上げると、上記止材２９が上記座穴２７内に進入し且つこれがその底面２７ａに当接することで該第２端部３ｂがそれ以上に抜け出るのが防止される（即ち、抜け止めがなされる）とともに、この抜け止め状態のまま、上記第２鼻串嵌挿孔２２内において回転可能とされるものである。
【００４１】
このように、上記桁木２に対して、上記鼻串３をその他端部３ｂ回りに回転可能に構成することで、その一端部３ａが尖頭５とされていることとの相乗効果により、上記第１の実施形態におけると同様の効果が得られるものである。
【００４２】
尚、上記以外の構成は全て上記第１の実施形態に係る鼻輪１の場合と同様であるので、図５及び図６の各構成部材に、第１の実施形態に係る図２及び図３に示された各構成部材に対応させて同一の符号を付するとともに第１実施形態の該当説明を援用することで、ここでの説明を省略する。
【００４３】
Ｃ：第３の実施形態
図７及び図８には、本願発明の第３の実施形態に係る鼻輪１を示している。この鼻輪１は、上記第１の実施形態に係る鼻輪１と基本構成を同じにするものであって、これと異なる点は、上記鼻串３の回転構造である。
【００４４】
即ち、この実施形態の鼻輪１においては、上記桁木２の第２鼻串嵌挿孔２２の軸方向中段に対応するように該桁木２の軸端から該第２鼻串嵌挿孔２２に向けて横穴２８を形成し、該横穴２８の途中に上記第２鼻串貫通孔２２の中段部分を開口させる一方、上記鼻串３の第２端部３ｂ側においては、これを上記桁木２の第２鼻串嵌挿孔２２に嵌挿した状態において上記横穴２８に対応する位置に通孔７を貫設している。
【００４５】
そして、上記鼻串３の第２端部３ｂを上記桁木２の第２鼻串嵌挿孔２２に挿通させて上記横穴２８と上記通孔７とを重合させた状態で、止材３０を上記該横穴２８から上記通孔７に嵌挿し、該止材３０の両端を上記第２端部３ｂの外周からそれぞれ突出させる。尚、この止材３０の突出量は、これが上記横穴２８の側壁と干渉しないような寸法に設定されている。
【００４６】
従って、上記鼻串３の第２端部３ｂは、上記止材３０が上記横穴２８の上下壁と係合することで上記桁木２からの抜け止めがなされるとともに、上記第２鼻串嵌挿孔２２内において回転可能とされる。
【００４７】
このように、上記桁木２に対して、上記鼻串３をその他端部３ｂ回りに回転可能に構成することで、その一端部３ａが尖頭５とされていることとの相乗効果により、上記第１の実施形態におけると同様の効果が得られるものである。
【００４８】
尚、上記以外の構成は全て上記第１の実施形態に係る鼻輪１の場合と同様であるので、図７及び図８の各構成部材に、第１の実施形態に係る図２及び図３に示された各構成部材に対応させて同一の符号を付するとともに第１の実施形態の該当説明を援用することで、ここでの説明を省略する。
【００４９】
Ｄ：第４の実施形態
図９及び図１０には、本願発明の第４の実施形態に係る鼻輪１を示している。この鼻輪１は、上記第１の実施形態に係る鼻輪１と基本構成を同じにするものであって、これと異なる点は、上記鼻串３の回転構造である。
【００５０】
即ち、この実施形態の鼻輪１では、上記鼻串３側においてはその他端部３ｂに周溝４を設ける一方、上記桁材２の他端部２ｂにおいては上記第２の鼻串嵌挿孔２２の軸心を直交方向に貫通させて通孔３１を設けている。
【００５１】
そして、上記鼻串３の第２端部３ｂを上記桁木２の第２鼻串嵌挿孔２２に挿通させて該他端部３ｂ側の上記周溝４と上記桁材２側の上記各通孔３１，３１とを重合させた状態で、該各通孔３１，３１に止材３２，３２を嵌挿し、該各止材３２，３２の先端を上記周溝４内に進入させた状態で固定する。
【００５２】
従って、上記鼻串３の第２端部３ｂは、上記各止材３２，３２が上記周溝４と係合することで上記桁木２からの抜け止めがなされるとともに、上記第２鼻串嵌挿孔２２内において回転可能とされる。
【００５３】
このように、上記桁木２に対して、上記鼻串３をその他端部３ｂ回りに回転可能に構成することで、その一端部３ａが尖頭５とされていることとの相乗効果により、上記第１の実施形態におけると同様の効果が得られるものである
【００５４】
尚、上記以外の構成は全て上記第１の実施形態に係る鼻輪１の場合と同様であるので、図９及び図１０の各構成部材に、第１の実施形態に係る図２及び図３に示された各構成部材に対応させて同一の符号を付するとともに第１の実施形態の該当説明を援用することで、ここでの説明を省略する。
【００５５】
Ｅ：その他
（１）  上記各実施形態においては、上記鼻輪１の一つの構成部材である上記鼻串３を、半円状の中央部３ｃと該中央部３ｃの両端からそれぞれ略直線状に延び且つ相互に略平行とされた一端部３ａと他端部３ｂとを備えた形状としているが、本願発明は係る構成に限定されるものではなく、要するに牛５０の鼻腔壁５２を貫通してその両端部が左右の鼻腔５１、５１から外側へ延出し、それぞれ桁材２側に固定し得るような略Ｕ字状の湾曲形状に形成されていれば足り、例えば、両端部３ａ，３ｂを平行とせずに、半円状の中央部３ｃをそのまま延長させ、全体として略円環形状とするなど、任意の形状に設定できるものである。
【００５６】
（２）  上記桁材２及び状態鼻串３の寸法は、鼻輪１の使用対象となる牛５０の大きさに応じて選択設定されるものである。
【００５７】
（３）  本願発明における上記鼻串３の他端部３ｂの上記桁材２との相対回転機構及び抜け止め機構は、上記各実施形態に示したものに限定されないことは言うまでもない。
【図面の簡単な説明】
【図１】本願発明の第１の実施形態に係る鼻輪の使用状態説明図である。
【図２】図１に示した鼻輪の分解斜視図である。
【図３】図１に示した鼻輪の組み立て状態を示す断面図である。
【図４】図１に示した鼻輪の使用状態説明図である。
【図５】本願発明の第２の実施形態に係る鼻輪の分解斜視図である。
【図６】図５に示した鼻輪の組み立て状態を示す断面図である。
【図７】本願発明の第３の実施形態に係る鼻輪の分解斜視図である。
【図８】図７に示した鼻輪の組み立て状態を示す断面図である。
【図９】本願発明の第４の実施形態に係る鼻輪の分解斜視図である。
【図１０】図９に示した鼻輪の組み立て状態を示す断面図である。
【図１１】従来の鼻輪の使用状態説明図である。
【符号の説明】
１は鼻輪、２は桁木、３は鼻串、４は周溝、５は尖頭、６及び７は貫通孔、２１及び２２は鼻串挿通孔、２３及び２４は通孔、２５及び２６は止材、２７は座穴、２８は横穴、２９及び３０は止材、３１は通孔、３２は止材である。
【図１】
2004248657.tif 000003
【図２】
2004248657.tif 000004
【図３】
2004248657.tif 000005
【図４】
2004248657.tif 000006
【図５】
2004248657.tif 000007
【図６】
2004248657.tif 000008
【図７】
2004248657.tif 000009
【図８】
2004248657.tif 000010
【図９】
2004248657.tif 000011
【図１０】
2004248657.tif 000012
【図１１】
2004248657.tif 000013